(57)【要約】【課題】各種の情報を自由度の高いパターンで表示することのできる表示装置を提供する。【解決手段】スケジュールと表示順序テーブル番号とを記憶したスケジュールテーブル３０、表示順序ごとに表示データを記憶した表示順序テーブル４０および表示データ中のデータ番号に対応する文字を記憶した文字データテーブル５０とを設ける。現在時刻データの条件を満たすスケジュールテーブル３０中のスケジュールを探し、条件を満たすスケジュールに対応する表示順序テーブル４０の番号を得る。次に、その番号の表示順序テーブル４０から表示順序１の表示データを取り出し、各表示部２１，２２，２３に表示を行わせる。表示順序１の表示データの表示が完了すると、表示順序２の表示データの表示が行われ、以後同様にして、後続の表示順序の表示データの表示が行われる。【選択図】    図４
2005017645.tif 000002
【特許請求の範囲】
【請求項１】
複数の表示部と、各表示部に表示される表示情報を記憶する記憶部と、記憶部から表示情報を取り出して各表示部に表示させる制御部とを有する表示装置において、
前記表示情報は、１つの第１表示情報と複数の第２表示情報とから構成され、
第１表示情報は、複数の条件と、各条件に対応して各条件が成立するときの前記複数の第２表示情報のいずれかを指定する指定情報とを有し、
第２表示情報は、前記各表示部に対応して各表示部に順次表示される１つ又は複数の表示データを有し、
前記制御部は、前記第１表示情報の前記各条件の成立を調べ、前記各条件の指定情報に基づいて前記複数の第２表示情報のいずれかにアクセスし、アクセスされた第２表示情報の前記各表示部に対応する各表示データを前記各表示部に順次表示させることを特徴とする表示装置。
【請求項２】
請求項１に記載の表示装置において、前記各表示データは、文字、図形等のデータと、当該データを表示する態様を表す表示モードデータとを有することを特徴とする表示装置。
【請求項３】
請求項１または請求項２に記載の表示装置において、前記各表示部に対応する表示データは継続条件を示すデータを有し、継続条件が成立している場合には、前記制御部は既に表示されている表示データを継続して当該表示部に表示させることを特徴とする表示装置。
【請求項４】
請求項１ないし請求項３のいずれかに記載の表示装置において、前記表示データは前記各表示部のいずれが優先されるかを示す優先表示部データを有し、前記各表示部の内、優先表示部データで指定された表示部の表示が完了したときに、前記制御部は次の表示データの表示を開始することを特徴とする表示装置。
【請求項５】
複数の表示部と、各表示部に表示される表示情報を記憶する記憶部と、記憶部から表示情報を取り出して各表示部に表示させる制御部とを有する表示装置において、
前記表示情報は、前記複数の表示部の夫々に対応する第１表示情報と、複数の第２表示情報とから構成され、
第１表示情報は、複数の条件と、各条件に対応して各条件が成立するときの前記複数の第２表示情報のいずれかを指定する指定情報とを有し、
第２表示情報は、前記複数の表示部のいずれかに順次表示される１つ又は複数の表示データを有し、
前記制御部は、前記各第１表示情報の夫々について前記各条件の成立を調べ、前記各条件の指定情報に基づいて前記複数の第２表示情報のいずれかにアクセスし、アクセスされた第２表示情報の各表示データを当該表示部に順次表示させることを特徴とする表示装置。
【請求項６】
１つの表示部と、表示部に表示される表示情報を記憶する記憶部と、記憶部から表示情報を取り出して表示部に表示させる制御部とを有する表示装置において、
前記表示情報は、１つの第１表示情報と複数の第２表示情報とから構成され、
第１表示情報は、複数の条件と、各条件に対応して各条件が成立するときの前記複数の第２表示情報のいずれかを指定する指定情報とを有し、
第２表示情報は、前記表示部に順次表示される１つ又は複数の表示データを有し、
前記制御部は、前記第１表示情報の各条件の成立を調べ、前記各条件の指定情報に基づいて前記複数の第２表示情報のいずれかにアクセスし、アクセスされた第２表示情報の各表示データを前記表示部に順次表示させることを特徴とする表示装置。
【発明の詳細な説明】
【０００１】
【発明の属する技術分野】
本発明は、所定の順序に従って各種の表示がなされる表示装置に関するものである。
【０００２】
【従来の技術】
近年、店頭、店内、駅のプラットフォーム、工場の生産ライン等において、文字、図形等からなる各種の情報が所定の順序に従って表示される表示装置が広く使用されている。例えば、特許文献１には、表面表示部と裏面表示部とを有し、各表示部に異なる情報が所定の順序に従って表示される表示装置が示されている。この表示装置のメモリーには、図１０に示される表示情報が記憶されており、その制御部が表示情報を行番号の順序に取り出して、文字等を表面表示部と裏面表示部とに表示する。
【０００３】
ここで、次行とペアかを示すフラグがＹＥＳとなっている場合は、当該行番号の文字が表面表示部に表示され、次行の文字が裏面表示部に表示される。また、上記フラグがＮＯとなっている場合は、当該行番号の文字が表面表示部および裏面表示部に表示される。また、表示モードがストップになっている場合には、一度に全文字を表示部に静止表示する。表示モードがランニングになっている場合には、文字をスクロールさせながら表示部に表示する。表示モードがストップまたはランニングのいずれであっても、各行番号の文字が表示時間欄で指定された秒数だけ表示され、その後に次の行番号の文字が表示され、これが順次繰り返される。
【０００４】
【特許文献１】
特開平９−２９２８４３号公報（段落０００６〜段落００１２、図１〜図５）
【０００５】
【発明が解決しようとする課題】
しかしながら、上記従来のものにおいては、表面表示部と裏面表示部とに異なる情報を表示することができ、所定の順序で各種の情報を表示することができるが、一定のパターンの情報が繰り返し表示されるだけである。それに対し、百貨店、スーパーマーケット等においては、所定の時間帯、所定の曜日等に定期的に特売や催しが行われる。その際に、特売や催しに相応しい情報が表示されることが要求される。また、相応しい情報が表示されるときでも、各種の情報が表示されることが望ましい。従って、表示パターンの拡張性に乏しい従来のものでは百貨店等の要求が満たされない。仮に要求を満たそうとすると、メモリー部に格納されている表示情報を特売等の都度に合わせて更新しなければならず、売り場の担当者に面倒な作業を強いることになるという問題、および表示情報の更新がされなかった場合には、お客に適切な情報を提供できなくなるという問題がある。また、百貨店等以外においても、各種の情報が自由度の高いパターンで表示される表示装置が望まれている。
【０００６】
本発明は、上記問題点を解決するものであって、その課題とするところは、表示情報を階層的に持つことにより、各種の情報が自由度の高いパターンで表示される表示装置を提供することにある。
【０００７】
【課題を解決するための手段】
本発明は、複数の表示部と、各表示部に表示される表示情報を記憶する記憶部と、記憶部から表示情報を取り出して各表示部に表示させる制御部とを有する表示装置において、表示情報を１つの第１表示情報と複数の第２表示情報とで構成する。ここで、第１表示情報は、複数の条件と、各条件に対応して各条件が成立するときの複数の第２表示情報のいずれかを指定する指定情報とを有する。また、第２表示情報は、各表示部に対応して各表示部に順次表示される１つ又は複数の表示データを有する。そして、制御部は、各条件の成立を調べ、各条件の指定情報に基づいて複数の第２表示情報のいずれかにアクセスし、アクセスされた第２表示情報の各表示部に対応する各表示データを各表示部に順次表示させる。
【０００８】
このようにすることで、表示情報が階層的に構成され、階層の各レベルの内容に従って、各表示部間で相互に同期をとりつつ、各種の情報を自由度の高いパターンで各表示部に表示させることができる。また、上記表示データは、文字、図形等のデータと、当該データを表示する態様を表す表示モードデータとを有する。
【０００９】
本発明においては、各表示部に対応する表示データは継続条件を示すデータを有し、継続条件が成立している場合には、制御部は既に表示されている表示データを継続して当該表示部に表示させる。このようにすることで、他の表示部の表示内容が変る場合でも、当該表示部には既に表示されている内容が途切れることなく連続的に表示される。これにより、表示装置の視覚性が向上する。
【００１０】
また、本発明においては、第２表示情報中の表示データは各表示部のいずれが優先されるかを示す優先表示部データを有し、各表示部の内、優先表示部データで指定された表示部の表示が完了したときに、制御部は次の表示データの表示を開始する。このようにすることで、ある期間における表示時間が各表示部間で互いに異なる場合に、次の表示データの表示に移るタイミングは、優先表示部のデータで指定された表示部の表示の完了によって決められる。これにより、例えば、最も長い表示時間を必要とする表示部を優先表示部として指定すれば、その表示部の表示が完了してから次の表示データの表示が行われるので、表示が途中で途切れてしまうといった不具合を回避することができる。
【００１１】
また、本発明は、複数の表示部と、各表示部に表示される表示情報を記憶する記憶部と、記憶部から表示情報を取り出して各表示部に表示させる制御部とを有する表示装置において、表示情報を複数の表示部の夫々に対応する第１表示情報と、複数の第２表示情報とで構成する。ここで、第１表示情報は、複数の条件と、各条件に対応して各条件が成立するときの複数の第２表示情報のいずれかを指定する指定情報とを有する。また、第２表示情報は、複数の表示部のいずれかに順次表示される１つ又は複数の表示データを有する。そして、制御部は、各第１表示情報の夫々について各条件の成立を調べ、各条件の指定情報に基づいて複数の第２表示情報のいずれかにアクセスし、アクセスされた第２表示情報の各表示データを当該表示部に順次表示させる。このようにすることで、表示情報が階層的に構成され、階層の各レベルの内容に従って、各表示部間で独立性を持って、各種の情報を自由度の高いパターンで各表示部に表示させることができる。
【００１２】
さらに、本発明は、１つの表示部と、表示部に表示される表示情報を記憶する記憶部と、記憶部から表示情報を取り出して表示部に表示させる制御部とを有する表示装置において、表示情報を１つの第１表示情報と複数の第２表示情報とで構成する。ここで、第１表示情報は、複数の条件と、各条件に対応して各条件が成立するときの複数の第２表示情報のいずれかを指定する指定情報とを有する。また、第２表示情報は、表示部に順次表示される１つ又は複数の表示データを有する。そして、制御部は、第１表示情報の各条件の成立を調べ、各条件の指定情報に基づいて複数の第２表示情報のいずれかにアクセスし、アクセスされた第２表示情報の各表示データを表示部に順次表示させる。このようにすることで、表示部が１つの場合でも、表示情報が階層的に構成され、階層の各レベルの内容に従って、各種の情報を自由度の高いパターンで表示部に表示させることができる。
【００１３】
【発明の実施の形態】
図１は、本発明に係る表示装置１のブロック図である。マイクロプロセッサ等からなるＣＰＵ１１には、入力部１２、ＲＯＭ１３、ＲＡＭ１４、フラッシュメモリー１５、カレンダーＩＣ１６および表示コントローラ１７が接続される。表示コントローラ１７には、表示ドライバ１８を介して表示部２０を構成する第１、第２、第３表示部２１，２２，２３が接続される。ＲＯＭ１３にはＣＰＵ１１のプログラムが格納される。ＲＡＭ１４はＣＰＵ１１の演算作業エリアとして使用される。フラッシュメモリー１５には表示部２０に表示される表示情報が格納される。また、フラッシュメモリー１５には、上記表示情報を表示するための一部のプログラムが格納される。尚、この表示情報および一部のプログラムは、不図示のパーソナルコンピュータで作成される。また、カレンダーＩＣ１６からは、年月日、曜日、時、分、秒のデータ（以下、「時刻データ」という）がＣＰＵ１１により読み出される。
【００１４】
入力部１２は、パーソナルコンピュータとの通信インターフェイス、メモリーカードリーダ、ＣＤ−ＲＯＭドライブ等のいずれか１つ又は複数で構成される。パーソナルコンピュータで作成された表示情報および上記の一部のプログラムは、通信インターフェイス、メモリーカード、ＣＤ−ＲＯＭ等を介してＣＰＵ１１により入力部１２から読み込まれ、フラッシュメモリー１５に書き込まれる。フラッシュメモリー１５が本発明の記憶部に相当する。尚、記憶部は不揮発性メモリーであればよく、フラッシュメモリー１５に限られるものではない。例えば、ＲＡＭ１４が不揮発性メモリーであれば、ＲＡＭ１４に表示情報を記憶させることができ、フラッシュメモリー１５は不要となる。この場合は、ＲＡＭ１４が本発明の記憶部となる。
【００１５】
表示コントローラ１７は、表示部２０に表示される文字、図形、記号、符号等のデータ（以下、「文字データ」という）と文字データを表示する態様を表すデータ（以下、「表示モードデータ」という）とをＣＰＵ１１から受け取り、それらのデータを使用して、各表示部２１，２２，２３を制御しつつ各表示部に表示を行わせる。表示モードとしては、例えば点滅表示、静止表示、左スクロール、右スクロール等がある。表示部の形状が縦長である場合には、左右のスクロールに代えて、文字データが上下にスクロールされる。
【００１６】
例えば、表示コントローラ１７が文字データを左スクロールせよという指示をＣＰＵ１１から受けると、その文字データを左スクロールさせつつ表示部に表示する。そして、表示コントローラ１７は、左スクロール動作の状況を内部データとして管理し、ＣＰＵ１１から左スクロール動作が完了したか否かについて問い合わせがあった場合には、左スクロール動作の状況を示すデータをＣＰＵ１１に返す。これにより、ＣＰＵ１１は左スクロールの表示処理が完了したか否かを確認することができる。また、所定時間だけ静止表示をせよという指示を受けた場合には、表示コントローラ１７の内部に設けられたタイマーを起動して時間の管理を行う。この場合も同様にして、ＣＰＵ１１は静止表示が完了したか否かを確認することができる。
【００１７】
各表示部２１，２２，２３は、格子状に配列された横方向３００ドット×縦方向２０ドットの発光ダイオードから構成される。各ドットの発光ダイオードをオン／オフさせることにより、文字データが表示される。また、１つのドットに赤、緑、青の発光ダイオードを配することにより、カラー表示も可能となる。尚、本発明の制御部とは、表示情報をフラッシュメモリー１５から取り出し、それを表示部２０に表示させるものであり、本実施形態ではＣＰＵ１１と表示コントローラ１７とが制御部に相当する。
【００１８】
図２は、表示部２０の斜視図である。この表示部の形状は３角柱状であり、その各側面に第１、第２、第３表示部２１，２２，２３が配されている。本発明は、表示部の形状に左右されることなく適用可能であり、例えば図３に示されるように各表示部２１，２２，２３が上下に配された表示部２０を有する工場の生産ライン用の表示装置にも適用できる。
【００１９】
図４は、フラッシュメモリー１５に記憶されている表示情報の内容を示す図である。図４（ａ）は、スケジュールテーブル３０を示す図である。図４（ｂ）は、複数の表示順序テーブル４０を示す図である。図４（ｃ）は、図４（ｂ）中の１つの表示順序テーブル４０を示す図である。図４（ｄ）は、文字データテーブル５０を示す図である。
【００２０】
まず、図４（ａ）に示されるスケジュールテーブル３０について説明する。このテーブルは、フラッシュメモリー１５に１つだけ格納されている。このテーブルには、７つのスケジュールと、そのスケジュールに対応する表示順序テーブル４０の番号とが格納されている。例えば、現時点が火曜日の１２時であるとすると、スケジュール番号４のスケジュールが条件を満たし、番号１の表示順序テーブル４０が指定される。そして、後述のフローチャートで示されるように、番号１の表示順序テーブル４０（図４（ｂ）の表示順序テーブル＃１）の内容に従って表示部２０に表示が行われる。本実施形態のスケジュールテーブル３０では、スケジュールは優先順位の高い方から順番に並べられている。従って、現時点が火曜日の１８時であるすると、番号１や番号５ではなく、番号３の表示順序テーブル４０（図４（ｂ）の表示順序テーブル＃３）の内容に従って表示部２０に表示が行われることになる。
【００２１】
図４（ａ）では、説明の都合上、１月１日等のスケジュールを文字列で表記しているが、ＣＰＵ１１がスケジュールを容易に判断できるように、予めコード化されたスケジュールがテーブルに格納されていることが望ましい。尚、スケジュールに使用する語句を規定しておき、ＣＰＵ１１が文字列を構文解析することによりスケジュールを判断するようにしてもよい。また、説明の都合上、番号で表示順序テーブル４０を指定しているが、表示順序テーブル４０のサイズが可変長である等の場合は、番号に代えてアドレスポインター等が適宜使用される。
【００２２】
次に、図４（ｂ）、図４（ｃ）を参照しつつ、表示順序テーブル４０について説明する。フラッシュメモリー１５には、複数の、本実施形態では図４（ｂ）に示されるように７つの表示順序テーブル４０が番号順に格納されている。図４（ｃ）は、図４（ｂ）の表示順序テーブル＃１の内容を示す。上述のように、現時点が火曜日の１２時であるとすると、表示順序テーブル＃１が指定される。このテーブルには、各表示部２１，２２，２３に表示される文字データの番号（データ番号）と表示モードデータとが、各表示部に対応して表示される順序（表示順序）に格納されている。
【００２３】
文字データは、図４（ｄ）に示される文字データテーブル５０にデータ番号順に格納されている。そして、表示順序テーブル４０中のデータ番号に基づいて、ＣＰＵ１１は該当する文字データを文字データテーブル５０から取り出す。このようにすることで、各表示部２１，２２，２３で文字データを共用する場合または複数の表示順序において文字データを共用する場合には、フラッシュメモリー１５の記憶容量を少なくすることができる。また、説明の都合上、表示順序テーブル４０中のデータ番号により文字データテーブル５０中の文字データを指定しているが、各文字データのサイズが可変長である等の場合には、データ番号に代えてアドレスポインター等が適宜使用される。
【００２４】
ここで、文字データテーブル５０は表示順序テーブル４０の付帯的なものであることから、スケジュールテーブル３０および表示順序テーブル４０が、夫々本発明の第１表示情報および第２表示情報に相当する。また、スケジュールテーブル３０中のスケジュールおよび表示順序テーブル番号が、夫々本発明の第１表示情報中の条件および指定情報に相当する。
【００２５】
次に、図４（ｃ）中の表示モードデータについて説明する。静止（５秒）とは、文字データを表示部に静止状態で表示して、５秒経過したら次の表示順序の文字データを表示することをいう。左（右）スクロールとは、表示部の右端（左端）から文字データの表示を開始し、文字データを左（右）側へ順次移動させること、または移動完了後も前記の動作を繰り返すことをいう。また、スクロール速度の違いにより、左高速スクロール、左低速スクロールのように表示モードを細分化することもできる。点滅とは、文字データを表示部に表示して、その表示を点滅させることをいう。また、表示モードを「点滅ＡＮＤ左スクロール」とすれば、文字が点滅しつつ左スクロールする。また、表示装置の業界では、その他の表示モードとして、転び（リボルブ）表示、カーテン表示、ランニング表示、部分スクロール等が広く知られている。
【００２６】
次に、図４（ｃ）中の表示順序５における「最終コード」について説明する。最終コードは、これで表示順序が終了したことを示す。ＣＰＵ１１が図４（ｃ）の表示順序テーブル４０の表示順序１から順番に表示データを取り出している際に最終コードを検出すると、ＣＰＵ１１は当該表示順序テーブル４０を使っての表示を終了する。尚、スケジュールテーブル３０に表示順序テーブル番号と共に表示順序テーブル４０の表示順序の数を格納することにより、同様な機能を行わせることもできる。
【００２７】
次に、図４（ｃ）中の優先表示部の番号について説明する。優先表示部とは、ある表示順序の表示を行っている場合に、３つの表示部２１，２２，２３の内、次の表示順序に移ることに関して最も高い優先度を持つ表示部のことである。ある表示順序において、第１表示部２１には文字データＡの３秒間の静止表示が、第２表示部２２には文字データＢの左スクロールが、第３表示部２３には文字データＢより長い文字データＣの右スクロールが夫々設定されている場合を例にして説明する。ここで、左スクロールに４秒かかり、右スクロールに５秒かかるとする。もし、優先表示部の番号が第１表示部２１を示す１に設定されているときは、第１表示部２１が最も高い優先度を持つので、当該表示順序の表示を開始してから３秒経過すると次の表示順序の表示を開始する。このため、第２、第３表示部２２，２３では、必要とされる表示である左（右）スクロールが完了しない状態で次の表示に移ってしまうという不都合が生じる。
【００２８】
この不都合は、優先表示部の番号として第３表示部２３を示す３を指定することにより解決される。すなわち、左（右）スクロールが完了してから次の表示に移る。このように、表示順序テーブル４０に優先表示部の番号を指定でき、優先表示部として指定された表示部の表示が完了してから次の表示に移るので、各表示部２１，２２，２３の表示が途中で途切れるという不具合を回避することができる。また、前述のように、パーソナルコンピュータで表示情報を作成する際にも、優先表示部による機能を有効利用することにより、例えば、文字データの長さと所要スクロール時間との関係を気にしなくても、スクロールが完了してから次の表示に移るようにする表示情報を容易に作成することができる。
【００２９】
次に、図４（ｃ）中の表示順序３における「継続コード」について説明する。優先表示部ではない表示部の１つが、ある表示順序で文字データの左スクロール表示をしており、次の表示順序においても同じ文字データの左スクロール表示をさせる場合を例にして説明する。継続コードという考え方がない場合には、次の表示順序においても、左スクロール表示が指定され、同じ文字データの左スクロールが新たに開始される。このため、同じ文字データが左スクロールされるにもかかわらず、表示内容が中断された後に最初から再開されるので、見た目が悪いという不都合がある。
【００３０】
かかる不都合を解決するために、継続コードを表示モードの領域に指定可能とし、ＣＰＵ１１が継続コードを検出したときには、ＣＰＵ１１は当該表示部に関しては表示コントローラ１７に表示の指示を行わないようにする。これにより、表示順序が進んだ場合でも、前の表示順序で指示された表示が継続して行われる。つまり、左スクロールが途切れることなく連続的に繰り返して行われる。このことは、比較的長い周期（例えば、０．５秒以上）で点滅表示が行われている場合にも該当する。
【００３１】
次に、表示モードのデータとして表示オフが設定されている場合について説明する。例えば、図４のスケジュールテーブル３０において、９時〜２２時以外の時間帯が閉店時間帯である場合、表示順序テーブル＃７の各表示部の表示モードデータとして表示オフが設定される。ＣＰＵ１１が表示オフを検出すると、表示コントローラ１７に表示を消すように指示する。これにより、担当者が閉店時に表示装置１の電源を切り忘れた場合でも、自動的に表示が消される。
【００３２】
図５は、各表示部２１，２２，２３の表示内容を示す図である。この図では、現時点が火曜日の１２時であるときに、図４（ａ）〜（ｄ）の各テーブルの表示情報を使用して後述のフローチャートに基づいて各表示部２１，２２，２３に表示される内容が時系列的に示されている。この図において、下向き矢印の基端側となっている表示部が優先表示部である。
【００３３】
現時点が火曜日の１２時であれば、図４（ａ）のスケジュールテーブル３０において、スケジュール番号４が条件を満たすので、スケジュール番号４に対応する表示順序テーブルの番号として「１」が選択される。すなわち、図４（ｂ）の表示順序テーブル４０のうち、表示順序テーブル＃１が指定されたことになる。この表示順序テーブル＃１の内容は図４（ｃ）に示されるとおりであり、このテーブルにおいて表示順序１，２，３，…の順にデータが読み出される。
【００３４】
最初に、表示順序１のデータが読み出され、そのデータに従って各表示部２１，２２，２３に図５（ａ）のような表示が行われる。表示順序１においては、図４（ｃ）からわかるように、各表示部２１，２２，２３ともデータ番号がＤ１、表示モードが静止（５秒）であるから、データ番号Ｄ１に対応する文字として、図４（ｄ）の文字データテーブル５０から「ご来店ありがとうございます」が読み出され、これが各表示部２１，２２，２３にそれぞれ５秒間静止状態で表示される。そして、５秒間が経過すると、次に表示順序２のデータが読み出され、そのデータに従って各表示部２１，２２，２３に図５（ｂ）のような表示が行われる。
【００３５】
表示順序２においては、図４（ｃ）からわかるように、第１表示部２１のデータ番号はＤ２、表示モードは点滅であるから、データ番号Ｄ２に対応する文字として、図４（ｄ）の文字データテーブル５０から「↑エレベータ」が読み出され、これが第１表示部２１に点滅状態で表示される。また、第２表示部２２のデータ番号はＤ３、表示モードは左スクロールであるから、データ番号Ｄ３に対応する文字として、図４（ｄ）の文字データテーブル５０から「←エレベータ」が読み出され、これが第２表示部２２に左スクロール状態で表示される。また、第３表示部２３のデータ番号はＤ４、表示モードは右スクロールであるから、データ番号Ｄ４に対応する文字として、図４（ｄ）の文字データテーブル５０から「エレベータ→」が読み出され、これが第３表示部２３に右スクロール状態で表示される。図２は、この表示順序２の表示状態を示している。そして、優先表示部に設定されている第３表示部２３の表示が完了した時点で、次に表示順序３のデータが読み出され、そのデータに従って各表示部２１，２２，２３に図５（ｃ）のような表示が行われる。
【００３６】
表示順序３においては、図４（ｃ）からわかるように、第１表示部２１のデータ番号はＤ６、表示モードは静止（１０秒）であるから、データ番号Ｄ６に対応する文字として、図４（ｄ）の文字データテーブル５０から「今日は食料品の特売日です」が読み出され、これが表示部２１に１０秒間静止状態で表示される。また、第２表示部２２のデータ番号は空白であり、表示モードのデータとして「継続コード」が記録されているから、第２表示部２２には、表示順序２における表示と同じ表示、すなわち「←エレベータ」が左スクロール状態で継続して表示される。また、第３表示部２３のデータ番号はＤ５、表示モードは静止（５秒）であるから、データ番号Ｄ５に対応する文字として、図４（ｄ）の文字データテーブル５０から「レストラン街は２階です」が読み出され、これが表示部２３に５秒間静止状態で表示される。そして、優先表示部に設定されている第１表示部２１の表示が完了した時点で、次に表示順序４のデータが読み出され、そのデータに従って各表示部２１，２２，２３に図５（ｄ）のような表示が行われる。
【００３７】
表示順序４においては、図４（ｃ）からわかるように、第１表示部２１のデータ番号はＤ１、表示モードは静止（５秒）であるから、データ番号Ｄ１に対応する文字として、図４（ｄ）の文字データテーブル５０から「ご来店ありがとうございます」が読み出され、これが第１表示部２１に５秒間静止状態で表示される。また、第２表示部２２と第３表示部２３については、ともにデータ番号がＤ６、表示モードが左スクロールであるから、データ番号Ｄ６に対応する文字として、図４（ｄ）の文字データテーブル５０から「今日は食料品の特売日です」が読み出され、これが第２、第３表示部２２，２３に左スクロール状態でそれぞれ表示される。そして、優先表示部に設定されている第２表示部２２の表示が完了した時点で、次に表示順序５のデータが読み出されるが、表示順序５には「最終コード」が記録されており、これが読み出されることで表示順序テーブル４０に従って行われる表示は終了する。この後、スケジュールテーブル３０のサーチが行われ、条件を満たすスケジュールに対応する表示順序テーブル番号の表示順序テーブル４０に従って再度表示が行われる。
【００３８】
図６は、本発明に係る表示装置１の表示動作を示すフローチャートである。まず、表示装置１の電源が投入されると、ＣＰＵ１１はカレンダーＩＣ１６から時刻データを読み出す（Ｓ１）。次に、ＣＰＵ１１は、スケジュールテーブル３０を先頭からサーチして、上記時刻データの条件を満たすスケジュールを探す（Ｓ２）。尚、図４に示されるスケジュールでは、スケジュール番号７のスケジュールが「その他」となっているので、いずれかのスケジュールが条件を満たす。次に、条件を満たすスケジュールに対応する表示順序テーブル４０の番号をスケジュールテーブル３０から得る（Ｓ３）。
【００３９】
次に、Ｓ３で得た番号の表示順序テーブル４０の表示順序１のデータを取り出す（Ｓ４）。次に、表示順序１のデータの内、第１表示部のデータ番号（Ｄ１，Ｄ２等）に基づいて文字データテーブル５０から文字データを得る。そして、文字データ、表示モードデータおよび第１表示部を示す番号をパラメータとして表示コントローラ１７に表示を行わせる関数（または、サブルーチン）を呼び出す。この関数については後述する。これにより第１表示部２１に対する表示動作が起動される（Ｓ５）。同様にして、第２、第３表示部に関するデータをパラメータとして同じ関数を呼び出すことにより、第２、第３表示部２２，２３に対する表示動作が起動される（Ｓ６、Ｓ７）。
【００４０】
次に、ＣＰＵ１１は、現在表示を行っている表示順序の優先表示部の番号に該当する表示部の表示が完了しているかを確認し、完了していない場合は、完了するまで確認操作を繰り返す（Ｓ８、Ｓ９）。当該表示が完了したか否かは、ＣＰＵ１１が表示コントローラ１７に対して行う問い合わせの結果により判断される。そして、優先表示部の表示が完了すると、表示順序テーブル４０の表示順序が１つ進められる（Ｓ１０）。そして、表示順序テーブル４０の更新された表示順序のデータが取り出される（Ｓ１１）。取り出されたデータの内、第１表示部の表示モードデータが最終コードであるか否かを調べ、最終コードである場合はＳ１に戻り、最終コードではない場合はＳ５に移行する（Ｓ１２）。
【００４１】
Ｓ５に移行した場合は、最終コードが検出されるまでＳ５からＳ１１の処理が繰り返される。また、Ｓ１に戻った場合は、Ｓ１、Ｓ２等が順次実行される。このとき、時刻データの条件を満たすスケジュールが前回と同じであれば、前回と同じ表示が行われる。当該スケジュールが前回と異なれば、当該スケジュールに対応する表示順序テーブル４０の内容に従って表示が行われる。このように、本発明の第１表示情報であるスケジュールテーブル３０と第２表示情報である表示順序テーブル４０とが階層的に構成され、ＣＰＵ１１がスケジュールテーブル３０中の複数の条件を判断し、成立した条件に対応する複数の表示順序テーブル４０のいずれかに設定されている各表示部２１，２２，２３に対応する１つ又は複数の表示データを各表示部２１，２２，２３に順次表示させているので、各種情報を自由度の高いパターンで表示部２０に表示させることができる。
【００４２】
図７は、図６のフローチャートで使用される関数のフローチャートである。この関数は、文字データ、表示モードデータおよび表示部を示す番号をパラメータとして図６のフローチャートのＳ５〜Ｓ７から呼び出される。Ｓ５〜Ｓ７のいずれかから呼ばれると、ＣＰＵ１１は、表示モードデータが継続コードであるか否かを調べる（Ｓ１３）。継続コードである場合は呼び出し元に戻り、継続コードではない場合はＳ１５に進む（Ｓ１４）。
【００４３】
ここで、継続コードが検出された場合には、何もしないで呼び出し元に戻るので、当該表示部には以前の表示順序で行われた表示内容が継続して表示される。また、継続コードが検出されなかった場合には、ＣＰＵ１１は、呼び出し元から渡された文字データ、表示モードデータおよび表示部を示す番号を表示コントローラ１７に送る（Ｓ１５）。そして、これらのデータを受け取った表示コントローラ１７は、表示部を示す番号の表示部に表示モードに従った態様で文字データを表示させる。
【００４４】
以上述べた実施形態においては、表示順序テーブル４０とは別に文字データテーブル５０を設けた場合について説明したが、各表示部で表示データを共用しないとき等では、図８に示される表示順序テーブル４１を使用してもよい。図８の表示順序テーブル４１は、図４（ｃ）の表示順序テーブル４０と図４（ｄ）の文字データテーブル５０とを合体したものであり、本発明の第２表示情報に相当する。尚、図８では、第２、第３表示部の欄の詳細は省略されている。
【００４５】
また、上記実施形態では、スケジュールテーブル３０のスケジュール、つまり本発明の第１表示情報の複数の条件、が時刻データに関するものである場合について説明したが、本発明は複数の条件が時刻データに関するものではない場合にも適用することができる。例えば、レジャープールにおいては、天候、光化学スモッグ情報、気温および水温等を複数の条件とすることができる。また、大相撲の開催される施設においては、観客数、初日および千秋楽等を複数の条件とすることができる。
【００４６】
さらに、上記実施形態では、継続コードを表示モードデータの領域に設定する場合について説明したが、表示順序テーブル４０の各表示部の領域に専用領域を設け、そこに設定するようにしてもよい。
【００４７】
さらに、上記実施形態では、表示部が３つある場合について説明したが、表示部が２つ又は４つ以上である場合にも本発明を実施することができる。また、表示部が１つである場合にも上記実施形態の考え方を適用できる。この場合、図４（ａ）に示されるスケジュールテーブル３０と、複数の図９に示される表示順序テーブル４２とを使用することにより、自由度の高いパターンで各種情報を表示させることができる。尚、図９に示される表示順序テーブル４２は、１つの表示部に対する表示データしか持たない点で、図４（ｃ）に示される表示順序テーブル４０とは異なる。
【００４８】
さらに、上記実施形態では、３つの表示部２１，２２，２３で１つのスケジュールテーブル３０を共用する場合について説明したが、各表示部に互いに独立した表示情報が表示される場合には、各表示部に対応させて、図４（ａ）に示されるスケジュールテーブル３０を３つ持つ。そして、各スケジュールテーブル３０の下位階層として、複数の図９に示される表示順序テーブル４２が使用される。これにより、各表示部２１，２２，２３の表示内容に独立性を持たせて、各種情報を自由度の高いパターンで表示させることができる。尚、この場合、各表示部に対して互いに異なるスケジュールで表示が行われるので、マルチタスク処理等でプログラムが実行されることが望ましい。
【００４９】
さらに、上記実施形態では、発光ダイオードを使用した表示部を備えた表示装置１について説明したが、本発明は液晶パネル、蛍光表示管等を用いた表示部を備えた表示装置にも適用できる。
【００５０】
【発明の効果】
本発明によれば、表示情報が階層的に構成され、階層の各レベルの内容に従って、各種の情報を自由度の高いパターンで表示部に表示をすることができる。
【図面の簡単な説明】
【図１】本発明に係る表示装置のブロック図である。
【図２】表示部の斜視図である。
【図３】表示部の他の実施形態に係る正面図である。
【図４】フラッシュメモリーに記憶されている表示情報の内容を示す図である。
【図５】表示部の表示内容を示す図である。
【図６】表示装置の表示動作を示すフローチャートである。
【図７】図６のフローチャートで使用される関数のフローチャートである。
【図８】表示順序テーブルの他の実施形態を示す図である。
【図９】表示順序テーブルの更に他の実施形態を示す図である。
【図１０】従来の表示装置を説明するための図である。
【符号の説明】
１    表示装置
１１  ＣＰＵ（制御部）
１５  フラッシュメモリー（記憶部）
１７  表示コントローラ
２０  表示部
２１  第１表示部
２２  第２表示部
２３  第３表示部
３０  スケジュールテーブル（第１表示情報）
４０、４１、４２  表示順序テーブル（第２表示情報）
５０  文字データテーブル
【図１】
2005017645.tif 000003
【図２】
2005017645.tif 000004
【図３】
2005017645.tif 000005
【図４】
2005017645.tif 000006
【図５】
2005017645.tif 000007
【図６】
2005017645.tif 000008
【図７】
2005017645.tif 000009
【図８】
2005017645.tif 000010
【図９】
2005017645.tif 000011
【図１０】
2005017645.tif 000012